(57)【要約】【課題】装置の大型化を招くことなく、広い範囲の光量調節を可能とする。【解決手段】被写体光を導く開口部１ａを備える本体部１と、開口部１ａを通過する光の光路中に進退可能に配置されるとともに、互いに相対回転可能な２枚の偏光板Ａ，Ｂと、２枚の偏光板を互いに相対回転させる駆動と、２枚の偏光板を光路中に進退させる駆動とを行なう１つの駆動モータ８とを具備する。【選択図】      図１
2006337658.tif 000002
【特許請求の範囲】
【請求項１】
被写体光を導く開口部を備える本体部と、
前記開口部を通過する光の光路中に進退可能に配置されるとともに、互いに相対回転可能な２枚の偏光板と、
前記２枚の偏光板を互いに相対回転させる駆動と、前記２枚の偏光板を前記光路中に進退させる駆動とを行なう１つの駆動源と、
を具備することを特徴とするカメラの露出装置。
【請求項２】
前記駆動源は、前記２枚の偏光板の相対回転角度を一定に保ったまま一体的に回転させる駆動をさらに行なうことを特徴とする請求項１に記載のカメラの露出装置。
【請求項３】
前記駆動源は、前記２枚の偏光板を互いに相対回転させる駆動を行なった後に、前記２枚の偏光板の相対回転角度を一定に保ったまま一体的に回転させる駆動を行ない、該一体的に回転させる駆動を行なった後に、前記２枚の偏光板を前記光路中から退避させる駆動を行なうことを特徴とする請求項２に記載のカメラの露出装置。
【請求項４】
前記２枚の偏光板を互いに相対回転させる駆動では、前記２枚の偏光板を相対的に略９０°回転させて、前記２枚の偏光板の位相を一致させるとともに、前記２枚の偏光板の相対回転角度を一定に保ったまま一体的に回転させる駆動では、位相が一致した前記２枚の偏光板を一体的に略９０°回転させることを特徴とする請求項３に記載のカメラの露出装置。
【請求項５】
前記開口部を開閉するための絞り羽根と、該絞り羽根を、前記偏光板の駆動とは独立して駆動するための駆動手段とをさらに具備することを特徴とする請求項１乃至４のいずれか１項に記載のカメラの露出装置。
【発明の詳細な説明】
【技術分野】
【０００１】
本発明は、被写体からの光量を広い範囲にわたって調節可能なカメラの露出装置に関する。
【背景技術】
【０００２】
従来、カメラなどの撮影装置において被写体の光量を調節する機構として、遮光性のある羽根を用い、光の通過面積を任意に増減させて露出量を制御する絞り装置が一般的に知られている。
【０００３】
しかしながら、明るい被写体を適正な露光量で撮影する場合に、絞り開口径を小さくしすぎると、光の回折現象によって解像度の低下を招く恐れがある。
【０００４】
そのため、絞り装置には、光の通過面積を制御する絞り羽根とは別に、減光フィルターを開口部に出し入れできるようにしたものが知られている。被写体光が明るく、絞り羽根による開口では回折現象が発生すると判断された場合には、絞り羽根の開口面積は回折現象が起きない範囲までしか制御せず、それ以上の光量の減衰のために減光フィルターを開口部に挿入させるものである。
【０００５】
このような露出装置では、絞り羽根の制御に加え減光フィルターの制御も必要であり、更に減光フィルターの濃度が均一であると、露出の制御範囲は限られてしまうという問題があった。減光フィルターを多段濃度に製作し、絞り羽根と独立して制御できれば比較的露出の制御範囲が広くなるがコストアップの要因となってしまうという問題があった。
【０００６】
そこで、特開２００４−１１８０３３号公報（特許文献１）には、光の通過面積を制御する絞り羽根とは別に、絞り開口部内に２つの偏光板を備え、一方の偏光板を相対的に回転させることで、回折現象を起こすことなく連続的に露光量を調整するカメラが提案されている。
【特許文献１】特開２００４−１１８０３３号公報
【特許文献２】特開平５−３２３２６４号公報
【発明の開示】
【発明が解決しようとする課題】
【０００７】
しかしながら、上述の特許文献１に記載の技術では、２つの偏光板は常に露光開口部内に配置されており、位相を一致させた場合でも、ある偏光成分がカットされてしまうので任意の撮影状態が得られず、被写体の色相や、反射物の写り方が意図しないものになってしまうという問題があった。
【０００８】
また、２つの偏光板の位相を一致させた場合に最も透過光量が多くなるが、偏光板面による反射・吸収により僅かな光量の減衰が起こる可能性があり、暗い被写体を撮影する場合に光量が不足してしまうという問題があった。
【０００９】
このような問題を解決する１つの方法としては、特開平５−３２３２６４号公報（特許文献２）に開示されているように、２枚の偏光板の相対的な位相を変化させることで通過光量を制御するとともに、２枚の偏光板を光路から退避させることができるように構成することが考えられる。
【００１０】
しかしながら、特許文献２に記載されているような構成をとろうとすると、２枚の偏光板の相対的な位相を変化させるための駆動源と、２枚の偏光板を光路から退避させるための駆動源の２つの駆動源が必要となり、駆動源の配置スペースが大きくなり、装置の大型化及びコストアップを招くという問題点がある。
【００１１】
したがって、本発明は上述した課題に鑑みてなされたものであり、その目的は、装置の大型化を招くことなく、広い範囲の光量調節を可能とすることである。
【課題を解決するための手段】
【００１２】
上述した課題を解決し、目的を達成するために、本発明に係わるカメラの露出装置は、被写体光を導く開口部を備える本体部と、前記開口部を通過する光の光路中に進退可能に配置されるとともに、互いに相対回転可能な２枚の偏光板と、前記２枚の偏光板を互いに相対回転させる駆動と、前記２枚の偏光板を前記光路中に進退させる駆動とを行なう１つの駆動源と、を具備することを特徴とする。
【００１３】
また、この発明に係わるカメラの露出装置において、前記駆動源は、前記２枚の偏光板の相対回転角度を一定に保ったまま一体的に回転させる駆動をさらに行なうことを特徴とする。
【００１４】
また、この発明に係わるカメラの露出装置において、前記駆動源は、前記２枚の偏光板を互いに相対回転させる駆動を行なった後に、前記２枚の偏光板の相対回転角度を一定に保ったまま一体的に回転させる駆動を行ない、該一体的に回転させる駆動を行なった後に、前記２枚の偏光板を前記光路中から退避させる駆動を行なうことを特徴とする。
【００１５】
また、この発明に係わるカメラの露出装置において、前記２枚の偏光板を互いに相対回転させる駆動では、前記２枚の偏光板を相対的に略９０°回転させて、前記２枚の偏光板の位相を一致させるとともに、前記２枚の偏光板の相対回転角度を一定に保ったまま一体的に回転させる駆動では、位相が一致した前記２枚の偏光板を一体的に略９０°回転させることを特徴とする。
【００１６】
また、この発明に係わるカメラの露出装置において、前記開口部を開閉するための絞り羽根と、該絞り羽根を、前記偏光板の駆動とは独立して駆動するための駆動手段とをさらに具備することを特徴とする。
【発明の効果】
【００１７】
本発明によれば、装置の大型化を招くことなく、広い範囲の光量調節が可能となる。
【発明を実施するための最良の形態】
【００１８】
以下、本発明の好適な一実施形態について、添付図面を参照して詳細に説明する。
【００１９】
図１は、本発明の一実施形態に係わるカメラの露出装置を被写体側から見た構成を示す分解斜視図であり、図２は結像面側から見た構成を示す分解斜視図である。なお、被写体側と結像面側を入れ替えることはもちろん可能である。
【００２０】
被写体光を通過させる開口部１ａが設けられた地板１の被写体側に、同じく開口部２ｄを備え、絞り地板１の開口部１ａから退避することができる偏光駆動板２が設けられている。偏光駆動板２上に偏光板Ａを固定した偏光板Ａ枠３が設けられ、さらに偏光板Ａ枠の上に偏光板Ｂを固定した偏光板Ｂ枠５が備えられている。偏光駆動板２の外周部には偏光板Ａ枠３をガイドするための壁部２ｅが設けられており、偏光板Ａ枠３の外周部が偏光駆動板２の壁部２ｅの内周部に嵌合することにより、偏光駆動板２に設けられた開口部２ｄに対して偏光板Ａは同軸に回転可能となっている。さらに偏光板Ａ枠３の内周部には偏光板Ｂ枠５が嵌合し、偏光板Ａと偏光板Ｂも同軸に回転可能になされている。
【００２１】
偏光板Ａ枠３の外周部には歯車部３ｃが形成されており、偏光板駆動ギヤ７と噛み合っている。偏光板駆動ギヤ７には地板１に面する側に偏光駆動板２を駆動するための駆動ピン７ａが備えられ、図１４に示す偏光駆動板の溝部２ａに嵌合している。偏光板駆動ギヤ７の回転中心７ｂと偏光駆動板２の回転中心軸２ｆは同軸に設けられている。中心に開口部９ａを有するカバー板９により、これら偏光駆動板２、偏光板Ａ枠３、偏光板Ｂ枠５、偏光板駆動ギヤ７が地板１との間でそれぞれ回転可能に保持されている。偏光板駆動ギヤ７はカバー板９上に固定された偏光板駆動モータ８の出力軸８ａに固定されており、偏光板駆動モータ８を駆動させることにより露出動作を行う。
【００２２】
地板１の結像面側には、羽根１２，１３および羽根カバー１４が設けられ、地板１に固定された絞りモータ１１により羽根１２，１３が駆動される。
【００２３】
図３および図４は組立後の露出装置全体を表す外観斜視図である。
【００２４】
次に、本実施形態のカメラの露出装置の動作について図５乃至図９および図１４を用いて説明する。図５乃至図９および図１４は装置の動作を示すために偏光板カバー９を取り除いた状態の露出装置を被写体側から見た平面図である。
【００２５】
図５は地板１の開口部１ａを偏光板Ａ、偏光板Ｂが共に覆った状態を示しており、偏光板Ａと偏光板Ｂの位相は９０°ずれた状態となっている。従って透過光量が最小となった状態を示している。この図５の部品構成を示すために更に拡大した図が図１４である。
【００２６】
偏光駆動板２には左旋回方向に偏光駆動板バネ２１が掛けられており、地板１の開口部１ａと偏光駆動板２の開口部２ｃが一致するように位置決めされている。偏光駆動板２の回転中心軸２ｅの外周部分には円弧状の溝部２ａが設けられており、偏光板駆動モータ８の駆動力を伝達する偏光板駆動ギヤ７から伸びた軸部７ａが溝部２ａに嵌合している。偏光板駆動ギヤ７は最も左旋回した状態となっており、偏光板Ａ枠３の外周部に設けられた歯車部３ｃと噛み合っている。このとき偏光板Ａ枠３の内周部の凸部３ａと偏光板Ｂ枠５の外周部の凸部５ｂが当接した状態となっている。
【００２７】
偏光駆動板２と偏光板Ｂ枠５の間には右旋回方向に偏光板Ｂ枠バネ２２が掛けられており、偏光板Ｂ枠５の腕部５ｃが偏光駆動板２の外周部の軸部２ｃと当接し、偏光板Ｂ枠５の回転止めとなっている。
【００２８】
この状態から偏光板駆動モータ８を右旋回方向に駆動すると、偏光板駆動ギヤ７も右旋回し、偏光板Ａ枠３の歯車部３ｃを左旋回させることで偏光板Ａは開口部１ａに対して左旋回していく。このとき偏光板駆動ギヤ７の駆動ピン７ａは偏光駆動板２の溝部２ａ内を回転移動するだけなので偏光駆動板２は静止したままである。更に偏光板Ｂ枠５もバネ２２により偏光駆動板２にガタ寄せされているので静止したままである。従って、偏光板駆動モータ８の右回転により、偏光板Ａのみが左旋回することとなり、偏光板Ｂと位相をずらしながら開口部１ａの透過光量を徐々に多くすることができる。
【００２９】
図５の状態から、偏光板Ａが９０°左回転した状態が図６である。このとき偏光板Ａ枠３の凸部３ａは偏光板Ｂ枠５の凸部５ａに当接した状態となる。そして偏光板Ａと偏光板Ｂの位相が揃った状態となっており、透過光量が最大となる。
【００３０】
透過光量を制御したい場合には、カメラの測光部からの指令や、任意の光量設定を行うことにより、図５と図６の間で偏光板駆動モータ８を制御する。この図５と図６の間の区間のモータ制御を「絞り制御モード」とし、カメラの露出制御モードが「絞り制御モード」となった場合には図５と図６の間で上記の動作を行えるようにする。なお、偏光板駆動モータ８の制御方法は、例えば透過光量を検知するためのカメラ側の測光部と、偏光板駆動モータ８の回転を検知する手段あるいは偏光板Ａの回転移動位置を検知する手段を用い、所定の透過光量となるように偏光板駆動モータ８を駆動する。
【００３１】
図６の状態から更に偏光板駆動モータ８を右回転させていくと、偏光板駆動ギヤ７は右旋回し、偏光板Ａ枠３は外周部の歯車部３ｃが噛み合ってさらに左旋回する。偏光板駆動ギヤ７の駆動ピン７ａは偏光駆動板２の溝部２ａに嵌合しているが、接触することなく回転が可能である。従って偏光駆動板２は静止した状態のままである。偏光板Ｂは、偏光板Ｂ枠５の凸部５ａが偏光板Ａ枠３の凸部３ａと当接した状態であるので偏光板Ａ枠３の左旋回と一体となって偏光板Ｂ枠５と共に左旋回することになる。
【００３２】
従って、図６の状態から図７の状態までは偏光板Ａと偏光板Ｂは位相を揃えた状態で９０°回転することができるようになっている。このとき図１４に示した偏光板Ｂ枠５と偏光駆動板２に掛けられた偏光板Ｂ枠バネ２２に抗して偏光板Ｂ枠５が左旋回することになるが、偏光板Ｂ枠バネ２２のバネ力はそれ程強いものではなく、偏光板駆動モータ８および歯車７，３ｃの減速比により作動に影響を及ぼすことは無い。むしろこの偏光板Ｂ枠バネ２２により歯車の噛み合いガタや摺動部のガタを無くし動作を安定させることが出来る。図７の状態になると偏光板駆動ギヤ７の駆動ピン７ａが偏光駆動板２の溝部２ａの端面２ｇに当接する。
【００３３】
被写体光の偏光成分を制御したい場合には、カメラからの指令（例えば、偏光成分を別の手段などで測定し、最も偏光成分をカットする角度を算出して偏光板駆動モータ８を動作させる）や、任意の偏光制御操作を使用者が行う（例えば、カメラボディやレンズ鏡筒外周部に偏光制御用のレバーやスイッチなどの操作部を設け、ユーザーが操作することにより、任意の偏光効果を得ることが出来るようにする）ことにより、図６と図７の間で偏光板駆動モータ８を制御する。
【００３４】
この図６と図７の区間のモータ制御を「偏光制御モード」とし、カメラの露出モードが「偏光制御モード」となった場合には図６と図７の間で上記の動作を行えるようにする。
【００３５】
図７の状態から更に偏光板駆動モータ８を右回転させていくと、偏光板駆動ギヤ７は右旋回するが、このとき偏光板駆動ギヤ７の駆動ピン７ａは偏光駆動板２の溝部２ａの端面２ｇに当接していることから、偏光板駆動モータ８の回転と同時に、偏光駆動板２が右旋回する。偏光板Ａ枠３および偏光板Ｂ枠５も偏光駆動板２と一体となって右旋回する。このとき図１４に示した偏光駆動板２と地板１に掛けられた偏光駆動板バネ２１に抗して偏光駆動板２が右旋回することになるが、偏光駆動板バネ２１のバネ力はそれ程強いものではなく、偏光板駆動モータ８により作動に影響を及ぼすことは無い。むしろこのバネにより摺動部のガタを無くし動作を安定させることが出来る。図８は偏光駆動板２が地板１の開口部１ａから退避する途中の状態を示し、図９が偏光駆動板２が地板１の開口部１ａから完全に退避した状態を示した図である。
【００３６】
偏光板Ａ，Ｂを開口部１ａから完全に退避したい場合には、カメラからの指令や、任意の設定を行うことにより、図９の状態になるまで偏光板駆動モータ８を右回転させるように制御する。この図９の開口全開状態にするモータ制御を「全開モード」とし、カメラの露出制御モードが「全開モード」となった場合には図９の状態となるように動作を行う。
【００３７】
なお、図９の状態となったことを検知する検知手段として、偏光駆動板２と地板１の間に機械的な検知手段（金属接点）や光学的検知手段（ＰＩ：ホトインタラプター）などを設けても良いし、偏光板駆動モータ８の回転を検知する手段により検知するようにしてももちろん良い。
【００３８】
本装置が備わったカメラ装置には、光学的な絞り装置も備え、本装置と合わせて絞り効果を発揮するような構成でももちろん良い。図１０乃至図１２を用いて絞り羽根の動作を説明する。
【００３９】
地板１の結像面側に２枚の羽根１２，１３が設けられており、地板１の被写体側に絞りモータ１１が設けられている。２枚の羽根１２，１３は絞りモータ１１に固定された羽根駆動ピン１１ａで連結されている。絞りモータ１１を地板１の被写体側に設けることで、結像面側のスペースを広げることができ、レンズ鏡筒内の他の部品レイアウトの自由度を増すことができるが、これに限定されるものではなく、羽根カバー１４の結像面側などに設けてももちろん良い。
【００４０】
図１０は羽根が全開している状態であり、絞りモータ１１に通電することで羽根駆動ピン１１ａが右旋回し、羽根１２，１３により開口部１ａを閉じてゆく。図１１が開口部１ａを略半分閉じた状態であり、図１２が開口部１ａを全て閉じた状態である。絞りモータ１１への電力を制御することで、遮光用の羽根１２，１３により開口部１ａの開口面積を変化させることができるようになっている。
【００４１】
図１０乃至図１２では、偏光板Ａ、偏光板Ｂが開口部から退避した「全開モード」状態となっているが、絞りモータ１１は独立に制御可能となっており、前記それぞれの露出制御モード（「絞り制御モード」、「偏光制御モード」、「全開モード」）で独立して羽根１２，１３の制御が可能となっている。従って、偏光板を用いた露出制御と併せて光学的な絞り羽根制御が行えるので、露出制御の選択幅を広げることが出来る。
【００４２】
例えば被写体光が非常に明るい場合には、図１３に示すように偏光板Ａと偏光板Ｂの位相が略４５°ずれた状態として被写体光を減光するとともに絞り羽根１２，１３は中間絞り状態として撮影を行うことが出来る。偏光板Ａと偏光板Ｂによる減光作用が無いと絞り羽根は更に開口径を小さくする必要があるが、偏光板Ａと偏光板Ｂの減光作用により開口面積が小さくなりすぎて回折現象によりフレアが発生した状態の画像となってしまうことを防止できる。また、絞り開口径をある程度大きい状態に保って適正露出の撮影が可能となるので、被写界深度がある程度浅い、すなわちボケ効果を生かした画像を得ることも可能となる。被写界深度をさらに浅くしたい場合には、偏光板Ａ，Ｂの位相差を更に大きくして減光効果を得るとともに、羽根１２，１３による絞り開口径を大きくすればよく、逆に被写界深度を深くしたい場合には、偏光板Ａ，Ｂの位相差を小さくして減光効果を減らすとともに、羽根１２，１３による絞り開口径を小さくすればよい。
【００４３】
また、偏光効果を得たい場合には、「偏光制御モード」を選択し、２つの偏光板Ａ，Ｂを位相を揃えた状態で開口部１ａへ進入させ、任意の偏光効果を得られる角度に偏光板Ａ，Ｂを操作するとともに、露出制御のために絞り羽根１２，１３を適正な絞り径となるように偏光板Ａ，Ｂの操作に連動して制御するようにもできる。従来の偏光板は、レンズの前面などに取り付けられ、手で操作するものであったために操作がやり難かったが、本実施形態では、レンズ鏡筒内に内蔵されており、電動駆動モータ８によって作動されるので操作性を向上させることができる。
【００４４】
なお、２枚の絞り羽根１２，１３は、絞り動作に用いられるだけではなく、絞りモータ１１へある程度大きい通電を瞬時に行うことで羽根を高速に閉じ作動させて、シャッターとして用いることが出来ることは言うまでも無い。
【００４５】
また、本装置には絞り羽根を構成せずに、別の絞りユニットやシャッターユニットを組み合わせてそれぞれが協働して露出制御を行うようにしてももちろん良い。
【００４６】
また、本装置は、カメラ装置のレンズ鏡筒内に収納される、露出制御装置として用いられるものであるが、カメラ本体とレンズ鏡筒部分が一体的に組み立てられたコンパクトタイプのカメラ用の露出制御装置でも、レンズ鏡筒がカメラ本体から着脱可能な交換レンズ鏡筒用の露出制御装置でもよいことは言うまでも無い。
【００４７】
以上説明したように、上記の実施形態によれば、露光量の調整が必要ない場合には偏光板を開口部から退避させるとともに、露光量の調整が必要な場合には、２枚の偏光板を開口部に進入させ、一方の偏光板を他方の偏光板に対して相対的に回転していくことにより、連続した詳細な光量調節が可能となる。
【００４８】
また、上記の実施形態の露出装置をデジタルカメラなどの表示モニターを備えたカメラに用いると、光量調節の機能以外に、被写体光を表示モニターで確認しながら２枚の偏光板の位相が揃った状態で回転することにより、被写体からの偏光成分を任意に設定することができ、例えば青空の色や樹葉等の色彩コントラストを上げたり、水面・ガラス面等の反射光の成分をカットすることが可能となる。
【００４９】
また、開口部が全開した「全開モード」と、２枚の偏光板の相対回転による絞り効果を得る「絞り制御モード」と、２枚の偏光板の同時回転による「偏光制御モード」を任意に選択すると共に、それぞれのモード内で絞り羽根の制御を行うことで様々な露出効果を得ることが出来る。
【００５０】
また、１つの駆動源により、２枚の偏光板の相対回転動作と、偏光板の開口部からの退避動作とを行なうことができるので、露出装置の小型化、低コスト化が可能となる。
【００５１】
また、１つの駆動源により、２枚の偏光板の相対回転動作と、２枚の偏光板を一体的に回転させる動作とを行なうことができるので、露出装置の小型化、低コスト化が可能となる。
【００５２】
また、偏光板による露出制御と遮光羽根による露出制御を組み合わせて光量を調節できるので、露出制御の選択の幅が広くなり、例えば、明るい被写体に対しても、偏光板による減光効果と遮光羽根による光量制御を組み合わせることで被写体深度が浅いボケ効果を生かした画像を得ることができる。また、偏光効果を得た状態で、その偏光状態での適正露出を遮光羽根で得るように制御することができる。
【００５３】
そして、２枚の偏光板の相対位置を連続的に変えることによって、透過光量を連続的に変化させて詳細な露出制御を行うステップと、２枚の偏光板の位相を揃えた状態で回転させることで、任意の偏光成分を得る偏光効果制御ステップと、２枚の偏光板を露光開口から退避させて透過光量を最大にするステップを備えることで、小型でありながら露出モードが多彩な絞り装置を得ることが出来る。
【図面の簡単な説明】
【００５４】
【図１】本発明の一実施形態に係わるカメラの露出装置を被写体側から見た構成を示す分解斜視図である。
【図２】本発明の一実施形態に係わるカメラの露出装置を結像面側から見た構成を示す分解斜視図である。
【図３】組立後の露出装置全体を被写体側から見た外観斜視図である。
【図４】組立後の露出装置全体を結像面側から見た外観斜視図である。
【図５】偏光板の動作を説明する平面図である。
【図６】偏光板の動作を説明する平面図である。
【図７】偏光板の動作を説明する平面図である。
【図８】偏光板の動作を説明する平面図である。
【図９】偏光板の動作を説明する平面図である。
【図１０】偏光板と絞り羽根の動作を説明する平面図である。
【図１１】偏光板と絞り羽根の動作を説明する平面図である。
【図１２】偏光板と絞り羽根の動作を説明する平面図である。
【図１３】偏光板と絞り羽根の動作を説明する平面図である。
【図１４】偏光板の構成を示す詳細平面図である。
【符号の説明】
【００５５】
１  地板
１ａ  開口部
２  偏光駆動板
２ａ  溝部
３  偏光板Ａ枠
４  偏光板Ａ
５  偏光板Ｂ枠
６  偏光板Ｂ
７  偏光板駆動ギヤ
７ａ  駆動ピン
８  偏光板駆動モータ
９  偏光板カバー
９ａ  開口部
１０  ネジ
１１  絞りモータ
１１ａ  羽根駆動ピン
１２  羽根
１３  羽根
１４  羽根カバー
１５  ネジ
２１  偏光駆動板バネ
２２  偏光板Ｂ枠バネ
【図１】
2006337658.tif 000003
【図２】
2006337658.tif 000004
【図３】
2006337658.tif 000005
【図４】
2006337658.tif 000006
【図５】
2006337658.tif 000007
【図６】
2006337658.tif 000008
【図７】
2006337658.tif 000009
【図８】
2006337658.tif 000010
【図９】
2006337658.tif 000011
【図１０】
2006337658.tif 000012
【図１１】
2006337658.tif 000013
【図１２】
2006337658.tif 000014
【図１３】
2006337658.tif 000015
【図１４】
2006337658.tif 000016